(57)【要約】  男性用下着衣類であり、ユーザーの骨盤領域及び／又は陰部領域と、少なくとも臀部領域と、を格納する、主要部分と、ユーザーに対して、主要部分上の中心前部に位置し、ユーザーの男性生殖器の第１の解剖学的構造部を格納する、補助部分と、主要部分又は補助部分に接続され、第１の解剖学的構造部とは異なる、ユーザーの生殖器の第２の解剖学的構造部を内包する、補足部分と、を備えている。【選択図】図２
2016536485.tif 000002
【特許請求の範囲】
【請求項１】
下着衣類であって、好ましくは男性用であり、
前記下着衣類が、
ユーザーの骨盤領域及び／又は陰部領域と、少なくとも臀部領域と、を格納するようにされている主要容積を形成している、主要部分（２）と、
前記ユーザーに対して前記主要部分（２）の中心前部に位置している、補助部分（３）であって、前記補助部分（３）が、前記主要容積に幾何学的に接続され、前記ユーザーの男性生殖器の少なくとも第１の解剖学的構造部を格納するようにされている、補助容積を形成する、補助部分（３）と、
を備え、
前記下着衣類は、前記主要部分（２）又は前記補助部分（３）に接続されて補足容積を形成している、補足部分（４）を更に備え、
前記補足容積は、前記補助部分（３）によって形成されている前記補助容積に接続され、前記第１の解剖学的構造部とは異なる、前記ユーザーの前記男性生殖器の第２の解剖学的構造部を内包するようにされている、
ことを特徴とする、下着衣類。
【請求項２】
前記補助部分（３）と前記補足部分（４）とは、互いに一方が他方の内部に含まれており、前記補助部分（３）が前記補足部分（４）を含むことが好ましい、
ことを特徴とする、請求項１に記載の下着衣類。
【請求項３】
前記補足部分（４）と前記補助部分（３）とは、前記主要容積と前記補助容積との間に介在されている第１の連通部分（５）と、前記補助容積と前記補足容積との間に介在されている第２の連通部分（６）と、によって前記下着衣類の前記主要部分にそれぞれ接続された、袋状構造物によって形成されている、
ことを特徴とする、請求項１に記載の下着衣類。
【請求項４】
前記下着衣類は、少なくとも部分的に、及び、好ましくは全体的に、織物素材、好ましくは、ストレッチコットン及び／又はライクラ（登録商標）及び／又はこれと類似の素材、を使用して製造される、
ことを特徴とする、請求項１から３のいずれか１項に記載の下着衣類。
【請求項５】
前記下着衣類は、更に、前記主要部分（２）に作用するストレッチ手段、及び／又は、前記補助部分（３）に作用するストレッチ手段、及び／又は、前記補足部分（４）に作用するストレッチ手段、を備え、
前記ストレッチ手段は、前記ユーザーの前記臀部領域及び／又は前部陰部領域それぞれにおいて、前記下着衣類の前記ユーザーとの付着性を向上させるようにされている、
ことを特徴とする、請求項１から４のいずれか１項に記載の下着衣類。
【発明の詳細な説明】
【技術分野】
【０００１】
本発明は下着衣類に関し、好ましくは男性用であり、言い換えれば、男性のユーザーによって着用可能な副次的衣類に関する。
【背景技術】
【０００２】
よく知られているように、様々なタイプの男性下着が様々な機会に着用され、これらは男性生殖器を内包することに特化されている。特に、これらの様々なタイプの衣類（下着のパンツ、ジョッキーブリーフ、ボクサーショーツなど）は、生殖器を内包するように配置された中央前部の袋状構造物を有している。
【０００３】
実際には、この袋状構造物は、この衣類を着用している人間の骨盤に対応する人体の部分によって占められる、衣類の主要容積に対して、別個の空間を形成している。
【０００４】
従来の技術は、幾つかの実際上の着用についての欠点を有しており、とりわけ、特に高温及び多湿の環境においての使用、又は特別な動きの状態が要求されるときの使用において、欠点を有している。実際、男性生殖器の特別な形態を考慮すると、解剖学的構造と両立しない内包がしばしばあり、そのため、極度の発汗、過熱、こすれ、又は圧迫により、不快感のある状況が起こり得る。
【発明の概要】
【発明が解決しようとする課題】
【０００５】
従って、後続の請求項又は下記の記述により、本発明の目的は、好ましくは男性用の、下着衣類に関する従来技術の問題を除去することである。
【課題を解決するための手段】
【０００６】
より詳細には、本発明は、より良好な着用性と、動きのタイプ及び男性の解剖学的な形状へのより高い適応性と、を提供し、従って、ユーザーの陰部領域において、より良好なレベルの内包性と、位置の維持と、温度又は湿度の理想的な条件の保証と、を提供する下着衣類に関する。
【０００７】
以下において、本発明の実施形態を記述し、付随する図面において、この実施形態の全体を参照番号１で示す。
【図面の簡単な説明】
【０００８】
【図１】本発明の概略前面図を示す。
【図２】図１の下着の側面断面図を示す。
【発明を実施するための形態】
【０００９】
本発明の下着衣類は、その全体が参照番号１によって示されており、ユーザーの骨盤領域及び／又は陰部領域を格納するようにされている各主要容積を形成する、主要部分（２）を備えており、下着衣類（１）は、更に、ユーザーの臀部領域も備えている。下着衣類（１）は、更に、ユーザーに対して主要部分（２）の中心前部に位置している、補助部分（３）も備えており、この補助部分（３）は、主要容積に接続された補助容積を形成している。
【００１０】
補助容積は、少なくとも、ユーザーの男性生殖器の第１の解剖学的構造部（主に、ユーザーの陰茎）を格納するためのものである。
【００１１】
本発明の利点を得るために、下着衣類（１）は、更に、主要部分（２）又は補助部分（３）に接続されている補足部分（４）も備えており、補足部分（４）は、補足容積を形成している。
【００１２】
この補足容積の機能は、実際には、補助部分（３）によって形成されている補助容積に接続されている補足容積を形成することである。
【００１３】
補足の内包容積は、特に、第１の解剖学的構造部とは異なる、ユーザーの生殖器の第２の解剖学的構造部（すなわち、睾丸）を内包するように機能する。
【００１４】
既知のタイプの下着衣類と完全に同一の外観を下着衣類に与えるために、また、如何なる場合にも生殖器の様々な部分の正しい解剖学的位置を提供するために、補助部分（３）と補足部分（４）とは、互いに一方が他方の内部に含まれている。図は、補助部分（３）が、実際に補足部分（４）を含んでいることを、示している。
【００１５】
実際の実現形態の観点からは、補足部分（４）と補助部分（３）とは、下着衣類の主要部分に接続された袋状構造物によって形成され、この袋状構造物は、それぞれ、主要容積と補助容積との間に介在された第１の連通部分（５）と、補助容積と補足容積との間に介在された第２の連通部分（６）と、によって、下着衣類の主要部分に接続されている。
【００１６】
連通部分は、実際には、２つのそれぞれの袋状構造物の、縫われていない部分によって形成されており、取るべき様々な形状に従って、様々な幾何学な展開をすることができ、また、下着衣類の主要部分（２）の袋状構造物の様々な接続方法（縫合、熱溶接、接着など）を使用して形成することができる。
【００１７】
快適に着用且つ洗濯されるために、本発明の下着衣類は、少なくとも部分的に、好ましくは全体的に、織物素材（例えば、ストレッチコットン及び／又はライクラ（登録商標）及び／又は類似の素材）を使用して製造される。
【００１８】
既知のタイプの下着衣類と同様に本発明もまた保証しなくてはならない、着用性の特性を更に考慮すると、ストレッチ手段もまた備えることができ、主要部分（２）に作用するストレッチ手段、及び／又は、補助部分（３）に作用するストレッチ手段、及び／又は補足部分（４）に作用するストレッチ手段、を備えることができ、これらの様々なストレッチ手段は、弾性バンドを使用して製造することができ、臀部領域及び／又は前部陰部領域に対して、ユーザーへの下着衣類の付着性を向上するように機能することができる。
【００１９】
本発明は、以上に述べた利点を達成する。
【００２０】
特に、本発明の下着衣類は、それぞれの袋状構造物又は内部空間において、男性生殖器の様々な部分を格納することを可能にし、一方では、男性生殖器の様々な部分を別々に保ち、従って、より良好な配置に保つことを可能にする（これは、同時に、より安定且つより快適であり、水分又は汗の形成、又は停滞を妨げる）。
【００２１】
言い換えれば、この新しい下着衣類は、より高いレベルの快適さを提供し、肌に直接接触する部分が周囲の刺激に晒されることをより少なくする、ということは明白であり、周囲の刺激には、圧力、こすれ、又は湿気、及び可能性の限界内において過熱までも含む。
【００２２】
ここに記述された本発明は、また、既知のタイプの下着衣類に対して、非常に僅かな技術的構造の修正で行うことができるため、製造コスト、又は既存の生産ラインの修正のコストが、非常に低く、且つコスト管理が非常に容易である。
【図１】
2016536485.tif 000003
【図２】
2016536485.tif 000004
【国際調査報告】
2016536485.tif 000005
2016536485.tif 000006